【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
自動締付け靴であって、
（ａ）靴であって、靴底、及び前記靴底に接続されたアッパーを有し、前記アッパーが、つま先、踵、正中側部分、及び体側側部分を含む、靴と、
（ｂ）前記靴の内部に置かれた足の周りに正中側及び体側側の部分を引き寄せるために、前記アッパーの正中側及び体側側の外部表面に接続された、単一の靴紐又はケーブルと、
（ｃ）前記靴に固着された締付け機構であって、前記締付け機構は、車軸を含み、前記車軸は、二つの端部と、円筒形の側面と、前記側面に沿った二つの出口開口を有し、前記車軸を貫通する連続した通路と、を含み、アクチュエータホイールが前記車軸に堅固に接続されて前記靴の外側に延在する締付け機構と、を備え、
（ｄ）前記靴紐又はケーブルが、前記車軸内に形成された前記連続した通路及び二つの出口開口に通され、前記正中側及び体側側の靴のアッパーの前記外部表面に通されるか又は沿わされ、前記靴紐又はケーブルの自由端が互いに固着され、かつ、前記靴の外部表面に取付けられ、その結果、連続したループを形成し、
（ｅ）地面またはその他の硬い表面に対して、前記靴の外側に延在する前記アクチュエータホイールの回転によって前記締付け機構の前記車軸が回転して、前記靴紐又はケーブルが前記車軸の周りで締付け方向に引き寄せられて、前記正中側及び体側側のアッパー部分が前記足の周りに引き寄せられ、
前記自動締付け靴がさらに、前記締付け機構に動作可能なように接続され前記車軸の逆回転を妨げて前記靴紐又はケーブルが緩むのを防ぐ固定手段と、
（ｆ）前記車軸の逆回転することにより前記正中側及び体側側のアッパーが緩められるように、前記固定手段を選択的に係脱するために前記固定手段に動作可能なように接続された解放手段と、を含む、自動締付け靴。
【請求項２】
自動締付け靴であって、
（ａ）靴であって、靴底、及び前記靴底に接続されたアッパーを有し、前記アッパーが、つま先、踵、正中側部分、及び体側側部分を含む、靴と、
（ｂ）前記靴の内部に置かれた足の周りに正中側及び体側側の部分を引き寄せるために、前記アッパーの前記正中側及び体側側の外部表面に接続された、単一の靴紐又はケーブルと、
（ｃ）前記靴に固着されたハウジング内に収容された締付け機構であって、二つの端部を有しそのうちの少なくとも一方の端部に複数の歯を有するラチェットホイールが固定関係で取り付けられた円筒形の表面を備える車軸、側面に沿って二つの出口開口を備えて前記車軸を貫通する連続した通路、及び前記車軸に堅固に接続され前記靴の外側に延在するアクチュエータホイールを含む、締付け機構とを含み、
（ｄ）前記靴紐又はケーブルが、前記車軸内に形成された前記連続した通路及び二つの出口開口に通され、前記正中側及び体側側の靴のアッパーの前記外部表面に通されるか沿わされ、前記靴紐又はケーブルの自由端が互いに固着され、かつ、前記靴の外部表面に取付けられ、その結果、連続したループを形成し、自動締付け靴がさらに、
（ｅ）付勢手段に動作可能に係合し、前記ハウジングに枢動可能に取り付けられた解放レバーであって、該解放レバーは、前記ハウジングの内側において前記解放レバーに沿った位置に形成された歯止めを有し、かつ、前記ハウジング及び前記靴の外側に延在するアクチュエーション端部を有し、前記歯止めが前記ラチェットホイールの歯と係合する、解放レバーを含み、
（ｆ）地面またはその他の硬い表面に対して、前記靴の外側に延在する前記アクチュエータホイールの回転によって前記締付け機構の前記車軸が回転して、前記靴紐又はケーブルが前記車軸の周りで締付け方向に引き寄せられて、前記正中側及び体側側のアッパー部分が前記足の周りに引き寄せられ、前記ラチェットホイールが、前記車軸の逆回転を妨げて前記靴紐又はケーブルが緩むのを防ぐように、前記解放レバーの前記歯止めによって係合した前記車軸に動作可能なように接続されており、
（ｇ）使用者が前記解放レバーの前記アクチュエーション端部を押し下げると、前記解放レバーが枢動するように前記付勢手段によって付与される反発力に打ち勝って、前記歯止めが前記ラチェットホイールの前記歯から選択的に係脱され、前記車軸の逆回転が可能となって前記正中側及び体側側のアッパーを緩めることができ、
（ｈ）前記使用者が前記解放レバーの前記アクチュエーション端部を押し下げるのを止めることにより、前記付勢手段がその反発力を働かせるように、前記解放レバーが実質的にその元の位置に戻され、前記車軸の逆回転を防ぐように、前記歯止めを前記ラチェットホイールの歯と再び係合させる、自動締付け靴。
【請求項３】
前記自動締付け靴は、前記正中側及び体側側のアッパーの縁部に沿いに離間されて接続された、複数のガイド手段を含み、
前記単一の靴紐又はケーブルは、前記正中側及び体側側のアッパーを前記靴の内部に置かれた足の周りに引き寄せるために、前記ガイド手段のそれぞれを交差した又はジグザグの形で一つおきに貫通して延在する、請求項１又は２に記載の自動締付け靴。
【請求項４】
前記ガイド手段が少なくとも一つの靴紐鳩目を含む、請求項３に記載の自動締付け靴。
【請求項５】
前記ガイド手段が少なくとも一つのホックを含む、請求項３に記載の自動締付け靴。
【請求項６】
前記自動締付け靴は、前記靴の前記正中側及び体側側のアッパーを覆うクロージャパネルさらに含み、前記単一の靴紐又はケーブルが、前記クロージャパネルを前記正中側及び体側側のアッパーの周りに引き寄せて、それらを前記靴の内部に置かれた足の周りに前記正中側及び体側側のアッパーを引き寄せる、請求項１又は２に記載の自動締付け靴。
【請求項７】
前記締付け機構を収容するために、前記靴底内にチャンバをさらに含む、請求項１又は２に記載の自動締付け靴。
【請求項８】
前記チャンバが前記靴の前記踵に密接して配置された、請求項７に記載の自動締付け靴。
【請求項９】
前記締付け機構が前記靴の外部に取り付けられた、請求項１又は２に記載の自動締付け靴。
【請求項１０】
前記固定手段が、
（ａ）複数の歯を有する少なくとも一つのラチェットホイールであって、前記締付け機構の前記車軸に固定関係で取り付けられたラチェットホイールと、
（ｂ）前記解放手段に接続される歯止め手段であって、前記ラチェットホイールに沿った歯と係合して前記締付け機構の前記車軸の逆回転を防ぐ歯止め手段とを含む、請求項１に記載の自動締付け靴。
【請求項１１】
前記解放手段を前記固定手段と強制的に係合させるための付勢手段をさらに含む、請求項１に記載の自動締付け靴。
【請求項１２】
前記付勢手段が、板ばねを含む、請求項１１に記載の自動締付け靴。
【請求項１３】
前記締付け機構を取り囲むハウジングをさらに含む、請求項１に記載の自動締付け靴。
【請求項１４】
前記付勢手段は、前記解放レバーから延在した撓み部材を有しており、
（ａ）使用者が前記解放レバーの前記アクチュエーション端部を押し下げると、前記解放レバーを枢動し、前記歯止めが前記ラチェットホイールの前記歯から選択的に係脱され、前記車軸の逆回転が可能となって前記正中側及び体側側のアッパーを緩めることができ、一方で、前記解放レバーの前記撓み部材が、前記ハウジングの内部表面によって撓められ、
（ｂ）前記使用者が前記解放レバーの前記アクチュエーション端部を押し下げるのを止めることにより、前記撓み部材が前記ハウジングの前記内部表面から離されて、前記解放レバーが実質的にその元の形状及び位置に戻され、別個のばね機構の支援なしに前記車軸の逆回転を防ぐように、前記歯止め端部を前記ラチェットホイールの歯と再び係合させる、請求項２に記載の自動締付け靴。
【請求項１５】
前記解放レバーが、
（ａ）前記ハウジング内に延在する、前記歯止めが取付けられた少なくとも一つのアームと、
（ｂ）前記アームの一端に取付けられた前記撓み部材と、を含み、ラチェットの歯の係合が外れるように、前記使用者が前記アームと歯止めを動かして前開放レバーを押したときに、前記撓み部材が、前記アームから離れる前記ハウジングの内部表面によって撓みうる請求項１４に記載の自動締付け靴。
【請求項１６】
前記ハウジングの前記内部表面による前記撓み部材の撓みによって前記撓み部材にわたって及ぼされる応力が、前記解放レバーを作るために使用されたポリマー樹脂材料の降伏強さの５０％未満である、請求項１４に記載の自動締付け靴。
【請求項１７】
前記撓み部材が前記アームから横方向に延在する、請求項１５に記載の自動締付け靴。
【請求項１８】
前記撓み部材のその長さにわたる垂直厚さが、１／６４インチから９／６４インチの間である、請求項１７に記載の自動締付け靴。
【請求項１９】
前記撓み部材が、前記撓み部材と前記アームとの間に間隙を伴って、前記アームとほぼ平行にオーバーラップして延在する、請求項１５に記載の自動締付け靴。
【請求項２０】
前記撓み部材が、前記アームの長さの約６０〜８０％を覆う、請求項１９に記載の自動締付け靴。
【請求項２１】
前記撓み部材のその長さにわたる垂直厚さが、０．０３０インチから０．０９０インチの間である、請求項１８に記載の自動締付け靴。
【請求項２２】
前記締付け機構内への土や他の異物の通過を減少するために、前記車軸に沿って位置決めされた少なくとも一つの密閉可能な軸受をさらに含む、請求項１又は２に記載の自動締付け靴。
【請求項２３】
前記締付け機構内への土や他の異物の通過を減少するために、地面またはその他の硬い表面に接触する前記アクチュエータホイールの表面に沿って凹形状のプロフィールをさらに含む、請求項１又は２に記載の自動締付け靴。
【請求項２４】
地面またはその他の硬い表面に対して使用者によって回転させられたときに、前記アクチュエータホイールに追加の静止摩擦を提供するために、前記アクチュエータホイールの前記外部表面内に形成された少なくとも一つの溝形をさらに含む、請求項１又は２に記載の自動締付け靴。
【請求項２５】
前記解放手段が枢動可能なレバーを含む、請求項１に記載の自動締付け靴。
【請求項２６】
前記解放手段が押しボタンを含む、請求項１に記載の自動締付け靴。
【請求項２７】
前記解放手段が引張りループを含む、請求項１に記載の自動締付け靴。
【請求項２８】
前記靴紐又はケーブルを前記靴の前記外部表面に対して前記靴紐又はケーブルの連続したループに沿った位置に取付けるためのクリップをさらに含む、請求項１又は２に記載の自動締付け靴。
【請求項２９】
前記靴紐又はケーブルを収容するために、前記靴のアッパー内に配置された少なくとも一つのガイドチューブをさらに含む、請求項１又は２に記載の自動締付け靴。
【請求項３０】
前記靴が運動靴を含む、請求項１又は２に記載の自動締付け靴。
【請求項３１】
前記靴がハイキングシューズを含む、請求項１又は２に記載の自動締付け靴。
【請求項３２】
前記靴がブーツを含む、請求項１又は２に記載の自動締付け靴。
【請求項３３】
前記靴が娯楽用シューズを含む、請求項１又は２に記載の自動締付け靴。
【請求項３４】
前記付勢手段は、圧縮ばねまたはトーションばねを含む請求項１１に記載の自動締付け靴。
【請求項３５】
前記付勢手段は、前記解放レバーと、前記ハウジングの表面との間に位置する圧縮ばねを含む請求項２に記載の自動締付け靴。
【請求項３６】
前記付勢手段は、前記解放レバーに動作可能に係合すべく前記ハウジング内に位置する板ばねを含む請求項２に記載の自動締付け靴。
【請求項３７】
前記付勢手段は、トーションばねを含む請求項２に記載の自動締付け靴。
【請求項３８】
前記締付け機構の車軸は、単一の車軸組立体を含み、該単一の車軸組立体は、第１表面と、第１表面と該第１表面と反対の第２表面を有した円形フレームを有したアクチュエータホイールと、前記円形フレームの前記第１表面に接続されかつ該第１表面から延在した第１横車軸と、前記円形フレームの前記第２表面に接続されかつ該第２表面から延在した第２横車軸と、前記車軸に取付けられた複数の歯を有した一体的に成形されたラチェットホイールおよびシャフトを有した端部カラーであって、前記第１横車軸に固定された関係で、前記第１横車軸に動作自在に取り付けられた端部カラーと、前記アクチュエータホイールの前記円形フレーム、前記第１横車軸、および前記第２横車軸を通過して形成された連続した通路であって、前記第１横車軸および前記第２横車軸の表面に沿って形成された二つの出口開口を有した連続した通路と、を含み、前記靴紐又はケーブルが前記単一の車軸組立体の前記連続した通路に通される、請求項２に記載の自動締付け靴。
【請求項３９】
前記自動締付け靴は、前記端部カラーの前記シャフトの周りに一体的に成形された拘束カラーを含み、使用者によって地面またはその他の硬い表面に対する前記アクチュエータホイールの回転によって、前記単一の車軸組立体が回転したときに、前記靴紐又はケーブルを巻くべく前記拘束カラーと前記ラチェットホイールとの間に環状領域を確定するように、前記拘束カラーは前記ラチェットホイールから離れた配置されている、請求項３８に記載の自動締付け靴。
【請求項４０】
前記自動締付け靴は、前記端部カラーの表面内に成形された少なくとも１つの鍵部と、前記第１横車軸の表面内に成形され、１つの前記鍵部に合致する少なくとも１つの鍵穴部とを、さらに含み、
前記端部カラーが前記第１横車軸に動作自在に取り付けられたときに、前記端部カラーに移動する前記アクチュエータホイールの回転によって、前記第１横車軸が回転するように、前記端部カラーの前記鍵部が、前記第１横車軸の鍵穴部に係合する、請求項３８に記載の自動締付け靴。
【請求項４１】
自動締付け靴は、前記第２横車軸に固定された関係で、前記第２横車軸に動作自在に取り付けられた第２端部カラーをさらに含む、請求項３８に記載の自動締付け靴。